(57)【特許請求の範囲】
【請求項１】
ボスによって規定された出入口を有し、突き破ることの可能な膜によって封じられる、容器用の所定寸法の分給用オリフィスを規定する分給用オリフィス組立体であって、
前記ボスに装着可能な中空外ぶたと、
外ぶたが前記容器に装着された時に前記突き破ることの可能な膜にほぼ垂直に並置される、前記外ぶた内部の変形性フランジ付きスパイクライナとを備え、
前記スパイクライナは、前記外ぶたによって支持されているが、該スパイクライナが前記外ぶたの前記容器に対する軸線方向変位によって前記膜に押し込まれ、スパイクライナによって該膜が完全に突き破られると、前記外ぶたから前記容器へ移動可能であり、前記スパイクライナが、前記容器上に保持された時のスパイクライナの長手軸にほぼ沿った、容器に出し入れするための開放中心通路を、前記膜中に規定し、
前記スパイクライナが、円錐形末端部を有する中空突き破りピンと他端部におけるフランジを含み、
前記ピンの円錐形末端部が円錐突き破り表面を規定し、
前記スパイクライナの通路が、（１）前記ピンのフランジ端部から延びて前記ピン内部で終端する第１の通路と、（２）前記第１の通路の端部と垂直に交差し、該第１の通路の端部から前記円錐突き破り表面にある前記ピンの外部まで延びる第２の通路とを含むことを特徴とする、分給用オリフィス組立体。
【請求項２】
前記スパイクライナの末端部が、スパイクライナを容器上の場所に保持するための返しで、終端することを特徴とする、請求の範囲第１項に記載の組立体。
【請求項３】
前記スパイクライナが前記外ぶたと摩擦係合で配置されることを特徴とする、請求の範囲第１項に記載の組立体。
【請求項４】
前記スパイクライナが一端にフランジを有し、かつ前記フランジの周縁部から突き出るスカートと、このスカートの端部において半径方向内向きに突き出て前記容器の肩とスナップばめ係合を行う環状フランジとを有することを特徴とする、請求の範囲第１項に記載の組立体。
【請求項５】
突き破ることの可能な膜を持つボスによって規定された閉じた分給用端部で終端する容器と、
前記容器の分給用端部の上に配置された外ぶたと、
前記外ぶたの内部に最初は取外し可能に保持され、前記容器と前記外ぶたの間で所定量の相対的な軸線方向変位が行われた後で前記容器の分給用端部に装着するための、変形性フランジ付きスパイクライナとを備え、
前記スパイクライナは、前記容器の分給用端部に係合して、前記外ぶたを後で除去した時に前記スパイクライナを該分給用端部に保持するための保持手段と、前記所定量の相対的な軸線方向変位が行われるにつれて前記膜を突き破る、突出した挿入手段とを含み、該スパイクライナが、前記外ぶたが除去された後で容器内容物を分給するため、所定の形状を有し前記挿入手段を通って延長する放出通路を規定し、
前記スパイクライナの挿入手段が尖った突き出しピンを含み、
前記放出通路が、前記スパイクライナの外部から前記ピンの内部部分まで延びる第１の通路を含み、かつ前記第１の通路の端部と垂直に交差し、該第１の通路の端部から前記ピンの外部まで延びる第２の通路を含むことを特徴とする、物質を分給するのに適したパッケージ。
【請求項６】
前記スパイクライナがフランジ付きの突き破りピンを含み、
前記ピンが前記挿入手段を規定し、
前記ピンは中空であって、前記放出通路を規定し、
前記外ぶたは前記放出通路を通って延長するための突き出し套管針を含むことを特徴とする、請求の範囲第５項に記載のパッケージ。
【請求項７】
前記容器が前記分給用端部の近くに環状肩を含み、
前記スパイクライナが周辺スカートを含み、
前記保持手段が弾性環状フランジを含み、そのフランジが前記スカートの端部に配置され、半径方向内向きに延長して前記容器肩にスナップばめ係合を行うことを特徴とする、請求の範囲第５項に記載のパッケージ。
【請求項８】
前記スパイクライナの挿入手段が開放末端部を有する中空ピンを含み、
前記保持手段が、前記膜を貫通して、その後で前記容器の内部で前記膜に係合して前記スパイクライナの外れを阻止する返しを前記開放末端部の近くに含むことを特徴とする、請求の範囲第５項に記載のパッケージ。
【請求項９】
前記容器の前記分給用端部が外側にねじを切った頚部を含み、
前記外ぶたが前記容器頚部に係合するための内側にねじを切ったスカートを含み、それにより、前記頚部と外ぶたの間の相対的な回転ねじ締め運動によって前記挿入手段を前記膜が貫通して進むことを特徴とする、請求の範囲第５項に記載のパッケージ。
【請求項１０】
前記容器が、一体の吹込成型された密封びんであり、容器内容物をしずくまたは連続した流れとしてほぼ一様に絞り出すための弾性側壁によって少なくとも部分的に規定される可撓性の中空本体を有することを特徴とする、請求の範囲第５項に記載のパッケージ。
【請求項１１】
前記外ぶたが受け空洞を有し、
前記スパイクライナが、前記外ぶたと摩擦係合で前記受け空洞の内部に配置されることを特徴とする、請求の範囲第５項に記載のパッケージ。
【発明の詳細な説明】
技術分野
本発明は、ボスによって規定され、突き破ることができる膜によって封じられた出入口を有する容器で使用するための分給用オリフィス組立体に関するものである。更に詳しくいえば、本発明は所定寸法の分給用オリフィスを提供する改良型オリフィス組立体に関するものである。
発明の背景
閉鎖部が一体になった密封容器が知られている。そのような容器は通常、本体部と、出入口を規定する頚部又はボスと、出入口を閉じて封じるための閉鎖部構造体とを有する。
閉鎖部シールに穴を開け分給用オリフィスを形成することによって、容器を開けることができるように手段を有するような容器を得ることも知られている。たとえば、米国特許第３４５４１９６号および第４７２３６８７号参照。
Ｋｕｔｔｅｒｅｒに付与された米国特許第４７２３６８７号は、容器の頚部から円板形の膜全体を切断するための切断構造を有するキャップを開示している。これは容器の頚部内に比較的大きい開口部を設けることができる。しかし、ある種の応用例では、液体の非常に細い流れ、または非常に小さいしずくを一様に分給するために直径を制御できる非常に小さい分給用オリフィスを得ることが望ましいことがある。したがって、そのような制御された分給用オリフィスを閉鎖膜に容易に設けることができる改良型システム得ることが望ましいであろう。
Ｈａｚａｒｄに付与された米国特許第３４５４１９６号は、容器のノズル内すなわち口内のダイヤフラムシールを破るための栓４２を有するキャップを開示している。ダイヤフラムを破ると分給用オリフィスが形成されるが、ある種の応用例では、容器から液体の細い流れまたは一様なしずくを分給するために、開口部が制御された所定の直径を持てるようにすることも望ましいであろう。
更に、改良した、予測できる流れ特性を持つ分給用オリフィスを形成できる改良型の開口システムを得ることも望ましいであろう。そのような改良型システムの部品を、容器ごとに所望の、所定の分給特性を持たせるために十分な寸法許容誤差以内で、ほぼ一様に一貫したやり方で容易に製作できるならば、とくに有利であろう。
付け加えれば、そのような改良型システムが、開けた容器を洩れないように後で閉じることができ、かつ後で再び開封及び密封ができるならば有利であろう。
更に、そのような改良型パッケージを、従来の比較的安価な方法で製作できるならば有利であろう。
本発明は上記利益および特徴を１つまたは複数個提供する装置設計を提供するものである。
発明の概要
本発明の１つの態様は液体を入れる密封容器用の取り出しオリフィス組立体を含む。このオリフィス組立体は容器に接合され、容器のための所定寸法の分給用オリフィスと密封手段を提供する。好適な実施例においては、オリフィスの寸法を精密に調整できる。このオリフィス組立体は、突き破ることができる膜によって密封される出入口を規定するボスを有する密封した熱可塑性容器に使用するのにとくに適する。容器の内容物は容器からのこのオリフィス組立体を通って予測できる形で分給することができる。このオリフィス組立体は、容器内容物に対する所望の分給特性を維持するために十分な寸法許容誤差以内で容易に製作できる。
この組立体は中空の外ぶたを含む。その外ぶたはボスの上に装着できる。外ぶた内部に変形性スパイクライナが装着される。そのスパイクライナは外ぶたによって支持される。好適な実施例では、このスパイクライナは突き刺しピン又は小さな刃を含む。突き刺しピンは容器の膜に突き刺すための末端部と、ピンの他端部にフランジとを有する。スパイクライナはそれの長手軸にほぼ沿う開放中心通路も規定する。
外ぶたを容器に取り付けた時は、変形性スパイクライナは突き破ることができる膜にほぼ垂直に並置されるが、膜を完全に突き抜けた時はスパイクライナは容器に移転できる。突き破ることができる容器膜をそれが完全に突き抜け、その後で外ぶたを外した後で、変形性スパイクライナは容器上に保持され、容器の分給用オリフィス用の筒状ライナとして容器の分給用オリフィスを覆う。その後で、スパイクライナがオリフィスライナとしての機能を行う際に、容器の液体内容物をスパイクライナ内部の通路を通って分給することができる。
別の好適な実施例においては、外ぶたに分給用オリフィス、すなわち、中空スパイクライナの放出通路内を完全にまたは部分的に延長するための套管針又は中実ピンを設けることができる。套管針は容器の膜に突き刺す助けとなるように設計できる。いずれにしても、套管針は、通路の内部に配置された時にオリフィス密封部材として機能できる。中空スパイクライナが膜を完全に突き抜けて容器上に保持されるように、外ぶたを容器に装着すると、外ぶたを外して套管針を引き抜き、内容物を放出通路を通じて制御しつつ分給することができるようになる。
本発明の数多くのその他の利点および特徴は、本発明の以下の詳細な説明、請求の範囲、および添付図面から直ちに明らかになるであろう。
【図面の簡単な説明】
明細書の一部を構成する添付図面全体を通じて同じ部分を示すために同じ番号を用いることにする。
第１図は、密封容器に使用するための本発明のオリフィス組立体の実施例の分解部分斜視図である。
第２図は、一部を断面で示した内部の詳細をより良く示すために構造の一部を切り欠いた、容器の膜を突き破る前の容器に外ぶたを装着した状態の、第１図に示した組み立て済み部品の拡大部分側面図である。
第３図は、外ぶたを容器上に完全にねじ込んで容器の膜を突き破った後の部品を示す第２図に類似の図である。
第４図は、外ぶたを完全に除去して変形性スパイクライナが容器上の定位置に残った部品を示す第３図に類似の図である。
第５図は、一部を断面で示した内部の詳細をより良く示すために構造の一部を切り欠いた、スパイクライナの別の実施例の側面図である。
第６図は、全体的に第５図の平面６−６に沿って切断した横断面図である。
第７図は、第５図および第６図に示すスパイクライナに使用する外ぶたの部分側面図である。
第８図は、一部を断面で示した内部の詳細をより良く示すために構造の一部を切り欠いた、第７図に示す外ぶた内に装着された、第５図および第６図に示すスパイクライナの部分側面図である。
第９図は、容器の膜を突き破っているオリフィス組立体の別の実施例の部分横断面図である。
第１０図は、容器に装着されて容器の膜を突き刺しているオリフィス組立体のさらに別の実施例の断面を示すために一部を切り欠いた部分側面図である。
好適な実施例の説明
本発明は、容器に容易に取り付けることができ、密封容器の膜を突き破るためのオリフィス組立体を提供するものである。この組立体は所定寸法の分給用オリフィスを提供する。液体内容物を比較的細い流れで容器から放出できるように、オリフィスは比較的小さくできる。オリフィス組立体は、所望の分給特性を維持するのに十分な寸法許容誤差以内で、ほぼ一様に一貫したやり方で容易に製作できる。
本発明は多くの異なる形の実施例で実施できるが、本明細書および添付図面は本発明の例としていくつかの特定の形態のみを開示する。本発明はそのように記述され実施例に限定されるものではなく、本発明の範囲は添付の請求の範囲で指摘される。
説明を容易にするために、本発明のオリフィス組立体を、直立した非分給位置にある容器について説明する。上、下、水平などのような用語はこの位置に関して用いることにする。ただし、本発明のパッケージは、ここに記述する位置以外の向きで保管、輸送、および販売できることを理解されたい。
本発明の部品は、従来の成型装置およびその他の機構で製作および組立てできる。それらの装置および機構の詳細は、十分には図示または説明しないが、そのような装置および機構の必要な機能について理解している当業者には明らかであろう。そのような装置またはその他の機構についての詳細な説明は、本発明の理解には必要ではなく、そのような装置およびその他の機構は本発明の一部を構成しないので、ここでは行わない。
本発明を具体化したパッケージを形成する第１の種類のオリフィス組立体および容器を第１図から第４図に示す。容器を参照番号１０で全体的に示す（第１図）。二部品のオリフィス組立体は変形性、中空のフランジ付きスパイクライナ１６を含む。これは外ぶた２０内に最初に装着され、かつ外ぶたによって保持されるようになっている。容器内部に取り付けられると、中空スパイクライナは容器内容物の分給用オリフィスを規定する。
容器１０は一体の密封構造として最初に成型され、かつ充填される。Ｗｅｉｌｅｒ他に付与され同じ譲受人に譲渡された米国特許第４，２５８，８６７号および第４，６７１，７６３号は、容器を成型し、液体を充填し、その後で封じる適当な容器製造方法を記述している。それらの工程は全て連続した商業規模の、高速無菌製造条件下にある。
容器１０は中空本体部分２２を含む。本体部分の壁の厚さは場所ごとに変更できる。壁は構造強度の要求に適合し、実際上できるだけ薄く形成することが好ましい。後で詳細に説明するようにして設けた開口部を通じて容器内容物を分給するために本体を押し絞ることができるように、本体の壁は十分な可撓性および弾性を持つようにすることが好ましい。
容器本体２２は上向きの平らな環状フランジ２４で終端する。容器１０は、肩２４から延長する取出し端部すなわち頚部２６も含む。第２図に示すように、容器頚部２６は外ねじ３０と、外に凸のノズル部３２と、出入口３６を構成するボス３４とを含む。出入口３６は突き破ることが可能な膜３８によって封じられる。膜は容器のボス３４の所における容器の分給端部を閉じる。ボス３４の内側で、容器は環状溝すなわち環状くぼみ４０を規定し、ボス３４の内側端部が下向きの環状肩４２を規定する。
容器１０は熱可塑性ポリマーを用いて成型できる。現在の好ましいポリマーは低密度ポリエチレン（ＬＤＰＥ）、高密度ポリエチレン（ＨＤＰＥ）、ポリプロピレン（ＰＰ）、等である。
容器１０は従来の、パリソン吹込成型法および装置によって製造できる。通常、容器１０は、容器本体２２および容器頚部２６の一部を成型するための分割成型空洞を規定する２つの協働する主成型半体を含む型組立体内で吹込成型される。その後、成型済み本体に所望の液体充填物を充填する。
主成型半体の内で容器本体を吹込成型し、充填組立体を通じて所望の物質を充填した後で、一対の封じ成型半体を閉じると、ボス３４と膜３８を含む容器上側部分の成型が完了し、容器１０内に内容物を密封できるようになる。そのような容器成型法、またはその他の適当な変形例は周知であり、本発明の一部を構成するものではない。
本発明の好適な実施例においては、このオリフィス組立体は、後で説明するように、容器への出入口を設けた後で、容器、またはその一部を押し絞って突き破られた膜３８を通じて容器内容物を分給することができる厚さおよび構造を持つ壁を有する容器１０と一緒に用いられる。
外ぶた２０とスパイクライナ１６は別々に形成する。外ぶた２０は、ポリスチレンなどのような比較的頑丈な成型した熱可塑性ポリマーで製作できる。そのような熱可塑性ポリマーを着色して容器１０の外観を引き立たせることができる。
第１図から第４図に示す実施例においては、変形性、中空スパイクライナ１６はポリスチレンまたはポリカーボネートから成型することが好ましい。中空スパイクライナ１６および外ぶた２０はそれぞれ、比較的小さい許容誤差の維持と、その後の組立てを行えるようにする従来の方法によって別々に成型できる。
外ぶた２０は、容器の頚部ねじ３０にねじ合わせるための内部ねじ４８を規定するスカート４６を含む。外に凸のカバー部５０が外ぶたのスカート４６から上へ延長する。そのカバー部は端部壁５２で終端する。ピンすなわち套管針５６が外ぶた端部壁５２の内面から突き出る。ピン５６は円錐点５８で終端する。
変形性中空スパイクライナ１６は小さな刃又はピン６０などの中空突き破り部材も有する。ピン６０は、円錐台表面６２で囲まれた開放末端部で終端する。円錐台表面６２は、後方に向いた環状肩６４を有する返し又は尖った頚部を規定する（第２図）。中空スパイクライナ１６が外ぶた２０に挿入されると（第２図）、スパイクライナ１６の円錐台表面６２が套管針の円錐形末端部５８と融合する、または套管針末端部の比較的滑らかな連続部を形成する。
中空ピン６０の基部はフランジ６８によって規定される。スカート７０がフランジ６８周縁部から広がり、環状ビード又はフランジ７４がスカート７０の端部から半径方向内側に突き出す。ビード又はフランジ７４は上向きの環状保持肩７５を規定する（第２図〜第４図）。
中空ピン６０は内部通路７６を規定する。通路はピンの長手軸に沿って向けられ、両端、すなわち円錐台表面６２で囲まれた末端部とベースフランジ６８とで開いている。通路７６は中実ピン又は套管針５６を受けるようにされている。
好適な実施例においては、通路７６の形は円筒形である。通路７６の直径は製作中に慎重に制御することが好ましい。通路７６は低い許容誤差範囲内の指定された直径に直接成型でき、またはより細い直径で最初に成型し、後で所望の正確な直径に開けることができる。
変形性スパイクライナ１６は第２図に示すように外ぶた２０の内部に装着され、かつ外ぶたによって保持されるようにされている。スパイクライナ１６は外ぶた２０の内面に摩擦により係合して配置できる。スパイクライナ１６はまた、外ぶた套管針５６と周囲の中空ピン６０との間の摩擦によって外ぶた２０の中に保持できる。それに加えて、または別法として、套管針５６の基部に、ライナ中空ピン６０の内面上のビード（図示せず）とスナップばめするための環状溝（図示せず）を設けることができる。更に、少量の接着剤またはその他の種類のスナップばめインターロックなど、別の、または追加の保持手段を使用できる。しかし、後で明らかになるであろう理由から、外ぶた２０とスパイクライナ１６が所定の最大値を超える逆向きの長手方向の力を受けた時、変形性スパイクライナ１６が外ぶた２０から外れることができなければならない。
外ぶた２０とスパイクライナ１６は、スパイクライナ１６が外ぶた２０の内部に最初に配置されている組立て済みの状態でユーザーに提供することが好ましい。外ぶた２０とスパイクライナ１６の組立体は通常、容器１０とともにパッケージされる。しかし、外ぶた２０とスパイクライナ１６の組立体は容器の頚部２６に最初に取り付ける必要はない。
容器１０は、第２図に示すように、スパイクライナ１６と外ぶた２０の組立体を最初に容器１０に取り付けて、ユーザーに提供される。その状態では、外ぶたスカート４６は容器の頚部のねじ３０にねじ合わされるが、套管針５６の円錐形末端部５８は膜３８から隔てられ、または単に膜３８の上に乗っているだけで、膜３８を突き破っていず、すなわち突き刺していない。
しかし、外ぶた２０とスパイクライナ１６の組立体を第２図に示すように容器の頚部に最初に装着したとき、スカート７０の１番下にあるライナビードすなわちフランジ７４が膜３８の周囲のボス３４の周縁部に係合することがより好ましい。この係合は、外ぶたと容器頚部の間のねじ合わせが進むにつれて、容器１０上での外ぶた２０の連続する軸線方向の移動を妨げる。この妨害は部品のそれ以上のねじ合わせに対する抵抗の増大として感じられる。この触感は、外ぶた２０が容器頚部のねじ３０の上まで更に軸線方向に進むと、容器膜３８の突き刺しが開始することを示すものとして使える。外ぶた２０が容器１０上まで更に進んで容器の膜３８に突き刺さると、外ぶた２０、中空スパイクライナ１６、またはボス３４あるいはその組合せが必要に応じて変形して、第３図に示すように、ライナビード７４がボスの肩４２の下の容器くぼみ４０中で受けられるまで、ボス３４に沿ったライナビード７４の下向きの動きが吸収される。
外ぶた２０が容器１０の上まで更に進むと、容器１０が開く。通常は、ユーザーが容器１０を持ち、外ぶた２０を回して外ぶた２０と容器頚部２６の間のねじ合わせを増大させる。外ぶた２０の底が容器１０の肩２４に接近するにつれて、外ぶた２０の内部の突き刺しピンすなわち套管針５６が、第３図に示すように膜３８を突き刺す。
外ぶた２０が容器本体２２へ向かって更に動くにつれて、膜３８の穴は拡大し変形する。膜３８の裏返された部分８０（第３図および第４図）が中空ピン６０の近くの穴の周囲で変形する。外ぶた２０が第３図に示すように容器１０に完全にねじ合わされると、拡大された、中空スパイクライナ１６の円錐台表面６２が膜３８に貫通され、裏返された部分８０の近くの部分を通り過ぎる。容器を、従ってダイヤフラム３８を成型する熱可塑性材料がいくらか弾性的な性質をもつため、裏返された部分８０は半径方向内向きに保持肩６４の多少上まで戻る。更に、ライナスカート７０の端部にあるビードすなわちフランジ７４が、ボス３４の下側端部にある肩４２の下の容器頚部のくぼみ４０の中の定位置にスナップばめされる。ライナピン肩６４と膜３８の間の係合と、ライナフランジ肩７５とボス肩４２の間の係合は、スパイクライナ１６を容器１０に固定し、二重洩れ防止封止システムを提供するように機能する。
容器１０から内容物の一部を取り出したい場合には、外ぶた２０を緩めて容器頚部２６から外す。外す力はスパイクライナ１６と外ぶた２０の間の比較的小さい係合力を克服するのに十分である。しかし、中空スパイクライナ１６はそれと容器１０との係合によってしっかり保持され、外ぶた２０が外れても容器膜３８から中空スパイクライナが持ち上がらない。この構成では、中空スパイクライナ１６は所定寸法の分給孔用のライナとして機能する。
外ぶた２０を完全に切り離して、第４図に示すように中空スパイクライナ１６を容器１０に残しておくことができる。容器１０およびスパイクライナ１６から外ぶた２０を完全に外すと、内張りされた通路７６が開き、内容物を容器１０から通路７６を通じて分給することができる。通常は、これは、全般的に下向きになるように容器１０を傾けることによって行われる。その後、容器１０の全般的に可撓性の弾性壁を押し絞って液体内容物を細い流れまたは小さいしずくとして分給する。変形性スパイクライナ１６の製作中に通７６が制御されたやり方で形成されたために、膜３８に開けられる突き破り穴の形と寸法、および穴の不ぞろいとは無関係に、通路７６は精密に制御された分給用オリフィスとして機能する。
変形スパイクライナ１６を適切な突き破り位置に推し進め、その後、外ぶた２０を外したとき（第４図）、容器頚部の外に凸の表面３２がライナスカート７０の外面と融合し、それと一致して、美観のよい組立体を提供することが好ましい。
容器内容物の一部だけを分給する場合、外ぶた２０を容器１０にねじ込んで外ぶた２０またはその套管針５６で分給用通路７６を（第３図に示すように）ふさぐことにより、容器を再び閉じる、すなわち再び密封することができる。
変形性のフランジ付きスパイクライナの別の実施例を第５図から第８図に示す。この実施例をここでは参照番号１１６で全体的に示す。スパイクライナ１１６を受けるために第８図に示すように外ぶた１２０（第７図および第８図）が設けられる。
外ぶた１２０は、第１図から第４図に示した実施例を参照して説明した外ぶた２０に全体として類似するものとすることができ、かつ容器（図示していないが、第１図から第４図を参照して上で説明した容器１０に類似する）の合わせねじと係合するためのねじ（図示せず）をその外ぶたに設けることができる。
外ぶた１２０は下向きに突き出たピンすなわち套管針１５６を含む。この套管針は鈍い末端部を有する。套管針１５６のベースの周囲の領域がくぼんで溝１５７を規定する。
変形性スパイクライナ１１６は中空ピン１６０を含む。この中空ピンは円錐形の末端表面１６２を含む。中空ピン１６０は端部壁すなわちフランジ１６８から下に延長する。スカート１７０がフランジ１６８の周辺から延長する。スカートの端部に、保持肩１７５を構成する環状フランジすなわちビード１７４が存在する。肩１７５は、第２図に示す容器１０について上で説明した肩４２などの、容器頚部の下向き環状肩（図示せず）に係合するのようにされている。
中空ピン１６０は取出し通路を規定する。その取出し通路はスパイクライナ１１６の外部からピン１６０の内部まで延長する。第２の通路１７９がある角度で第１の通路１７７の端部からピン１６０の外部まで延長する。更に詳しくいえば、第２の通路１７９は、第１の通路１７７の直径が細くなった穴部分と垂直に交差するように向いた、全体として円筒形の穴である。第２の通路１７９はピンの末端部の円錐面１６２上で両端が開いている。
外ぶた１２０および変形性スパイクライナ１１６は通常は第８図に示す組立て済みの状態で供給される。この組立体は、第２図および第３図に示す外ぶた２０、スパイクライナ１６、および容器１０について上で説明したのと同じやり方で容器にねじ合わせできる。第８図に示すスパイクライナ１１６の第２の実施例は容器膜を突き破って容器膜により保持される尖った頚部または返しを持たない。したがって、スパイクライナ装置１１６は、容器の相補的な係合肩に係合するスカート部保持肩１７５によってのみ容器に保持されることになる。
外ぶた套管針またはピン１５６はライナ中空ピン１６０内の通路１７７の端部まで完全には延長しない。その代わりに、套管針の鈍い端部１５０が中空ピン１６０に終端する。ライナピン１６０の末端部における点または円錐面１６２によってのみ容器膜が突き破られる。
外ぶた１２０が容器に完全にねじ合わされて変形性スパイクライナ１１６と容器頚部の適正な係合を行い、かつ容器膜を効果的に突き破った後で、外ぶた１２０を容器から緩めることができる。この操作によって、もちろん套管針１５６がライナ中空ピン１６０から外される。その後で容器１０の内容物を第２の通路１７９と第１の通路１７７を通じて出すことができる。第１の実施例におけるように、容器内容物をスパイクライナ１１６を通して、調整された、細い流れまたは小さいしずくとして分給できるように、第２の実施例ライナ通路（第１の通路１７７と第２の通路１７９によって構成された）を成型またはその他によって慎重に制御された形および寸法にできる。
第９図は外ぶた２２０と、変形性フランジ付きスパイクライナ２１６の別の実施例を示す。外ぶた２２０はピンすなわち套管針を持たず、全体として平らな、内部封止端部面１６９を構成する。変形性スパイクライナ２１６は外ぶた２２０の内面１６９に最初に接着固定される。
変形性スパイクライナ２１６はベースフランジ２６８と中空の突き刺しピン２６０を有する。その突き刺しピン２６０の末端部は、上向きの、環状保持肩２６４とともに返しを形成する円錐面２６２を有する拡大された尖った頭で終端する。
ライナ中空ピン２６０は、第１の通路２７７と第２の通路２７９によって規定される取出し通路を有する。第１の通路２７７はピン２６０の長さの一部に沿って長手方向に向けられ、第２の通路２７９は第１の通路２７７の細くなった直径部分と垂直に交差する。第２の通路２７９は円筒形の穴であって、ピン２６０の末端部の円錐面２６２で両端が開いている。
変形性スパイクライナ２１６と外ぶた２２０の組立体を第９図に示すように容器にねじ込んで容器の膜２３８に突き刺す。このようにして、ライナ返し肩２６４は膜２３８の変形した部分を越えて変形性スパイクライナ２１６を容器上に保持する。その後で外ぶた２２０を容器から外す時、外ぶたを緩める力は外ぶた２２０とスパイクライナ２１６の間の接着強度より大きい。このようにして、変形性スパイクライナ２１６を容器の膜２３８の内部に保持されたままにしながら、外ぶた２２０を容器から完全に外すと、容器内容物を所望の制御された流れまたはしずくとして分給するための制御された分給用オリフィスが規定される。
第１０図は、変形性のフランジ付きスパイクライナ３１６が容器３１０に装着されている外ぶた３２０の更に別の実施例を示す。容器３１０は頚部を有する。この頚部は、外ぶた３２０の内部の合わせねじ３４０用のねじ３３０を有する。
変形性スパイクライナ３１６は、外ぶた３２０の内部に摩擦またはその他の方法によって、最初に取外し可能に保持される。スパイクライナ３１６は「点眼器」の形をしており、外側に凸状の末端部分３１７を有する。部分３１７からスカート３７０が下向きに突き出る。スカートは、容器３１０の頚部の下向き肩３４２の下側に規定されたくぼみ３４８にスナップ係合するための半径方向内向きのビードまたはフランジ３７４を有する。
スパイクライナ３１６はまた中空ピン３６０を有する。そのピンは尖った円錐形の末端面３６２で終端する。第１の通路３７７は、スパイクライナ３１６の上端部からピン３６０の内部まで延長して交差する、垂直の第２の通路３７９で終端する。好適な実施例においては、第２の通路３７９は直径が制御された円筒穴であって、円錐面３６２で両端が開いている。
外ぶた３２０は、ライナ第１通路３７７中に、洩れないように密封係合で挿入するための中実ピンすなわち套管針３５６を含む。第１０図に示すように、変形性スパイクライナ３１６が取り付けられた外ぶた３２０を容器３１０にねじ込んで容器の膜３２０を突き破ることができる。外ぶた３２０と容器３１０の間で十分なねじ合わせが行われると、膜３３８は完全に突き破られ、ライナスカートビード３７４が容器３１０の近くで容器肩３４２に係合して、変形性スパイクライナ３１６が外れないようになる。その後で外ぶた３２０を容器３１０からゆるめると、スパイクライナ３１６と外ぶた３２０の間の摩擦係合、またはその他の係合がとける。その後、分給用オリフィスを容器に規定したまま容器３１０中に埋め込まれたままのスパイクライナ３１６から外ぶた３２０が分離する。
内容物は開いた容器３１０からライナ通路３７９と３７７を通じて制御された形で分給することができる。外ぶた３２０を再び取り付けることによって容器３１０を再び封じて、ライナ第１の通路３７７を套管針すなわちピン３５６でふさぐことができる。
本発明およびその実施例の以上の詳細な説明から、本発明の新規な概念または原理の真の要旨および範囲から逸脱することなしに、数多くの他の変形および変更を行えることが容易に明らかであろう。
【図１】
0003701026.tif 000002
【図２】
0003701026.tif 000003
【図３】
0003701026.tif 000004
【図４】
0003701026.tif 000005
【図５】
0003701026.tif 000006
【図６】
0003701026.tif 000007
【図７】
0003701026.tif 000008
【図８】
0003701026.tif 000009
【図９】
0003701026.tif 000010
【図１０】
0003701026.tif 000011